【手続補正書】
【提出日】平成24年12月13日(2012.12.13)
【手続補正１】
【補正対象書類名】明細書
【補正対象項目名】００１９
【補正方法】変更
【補正の内容】
【００１９】
前記注入用具において、前記薬液を収容可能な液体収容室を有する容器と、前記容器よりも高い伸縮性を有するとともに、前記液体収容室を前記注入用収容室及び押出用収容室に区画する隔壁とを備えていることが好ましい。
【手続補正２】
【補正対象書類名】明細書
【補正対象項目名】００３３
【補正方法】変更
【補正の内容】
【００３３】
切換弁９は、前記連結部材７の連結部７ｃを通して両蛇腹容器５、６間に跨って配置されている。具体的に、切換弁９は、前記導出口７ｇの開閉を切り換えるための弁本体１５と、この弁本体１５から両蛇腹容器５、６側へそれぞれ延びる被操作部１４とを備え、この被操作部１４が後述する操作ボタン１２に押圧されることにより弁本体１５が変位するようになっている。弁本体１５は、周方向に張出す一対のフランジ部１５ａ、１５ｂを有する弾性部材である。フランジ部１５ａ、１５ｂは、それぞれ前記連結部７ｃの壁面に密着することにより当該フランジ部１５ａ、１５ｂと連結部７ｃの壁面との間における薬液の流れを規制するとともに、当該両フランジ部１５ａ、１５ｂ同士の間の薬液の流れを許容する。そして、弁本体１５は、図３に示すように前記導出口７ｇを挟んだ両側位置で各フランジ部１５ａ、１５ｂが連結部７ｃの内壁面に密着することにより注入用蛇腹容器６から導出チューブ１７への薬液の流れを阻止する閉鎖位置と、図１に示すようにフランジ部１５ｂが注入用蛇腹容器６内に配置され、フランジ部１５ａのみが連結部７ｃの内壁面に密着することにより注入用蛇腹容器６から導出チューブ１７へ向けた薬液の流れを許容する開放位置との間で変位可能とされている。なお、前記閉鎖位置及び開放位置の何れの位置においても、フランジ部１５ａは、導入口７ｆと導出口７ｇとの間で連結部７ｃの内壁面に密着しているため、押出用蛇腹容器５と注入用蛇腹容器６との間の薬液の流通は、規制される。被操作部１４は、弁本体１５に固定されたものである。詳しくは後述するが、被操作部１４の長さは、以下のように設定されている。弁本体１５から押出用蛇腹容器５側へ向けた被操作部１４の突出長さは、注入用蛇腹容器６内に所定量の薬液が収容された状態で押出用蛇腹容器５の突出部５ｂ内（後述する筒状容器１０の位置決め部１０ａよりも上）に配置される長さである。弁本体１５から注入用蛇腹容器６側へ向けた被操作部１４の突出長さは、注入用蛇腹容器６から所定量の薬液が導出された状態で注入用蛇腹容器６の底面（図１の下面）に当接することにより弁本体１５が閉鎖位置に押圧される長さである。
【手続補正３】
【補正対象書類名】明細書
【補正対象項目名】００３９
【補正方法】変更
【補正の内容】
【００３９】
図３及び図７を参照して、注入用蛇腹容器６内の薬液が全て導出された時、又は注入用具３の使用開始時においては、矢印Ｙ１に示すように、導入孔７ｆを通って薬液ポンプ２からの薬液が押出用蛇腹容器５内に導入されることにより、当該押出用蛇腹容器５が伸張する。これに応じて、連結部材７は、矢印Ｙ２に示すように、注入用蛇腹容器６側へ押圧され、当該注入用蛇腹容器６を収縮させる。この図３の状態においては、切換弁９の被操作部１４の端部（図３の下端部）が注入用蛇腹容器６の底面（突出部６ｂの内側面）に当接して上に押し上げられることにより、弁本体１５が閉鎖位置とされている。そして、図３の状態から所定の時間（以下、ロックアウトタイムと称す）をかけて所定量（本実施形態では３ｍｌ）の薬液が注入用蛇腹容器６内に充填される。
【手続補正４】
【補正対象書類名】明細書
【補正対象項目名】００４１
【補正方法】変更
【補正の内容】
【００４１】
そして、注入用蛇腹容器６内に所定量の薬液が充填されると（ロックアウトタイムが到来すると）、図５に示すように、被操作部１４が底面（突出部５ｂの内側面）に当接することにより注入用蛇腹容器６の伸張が規制される。この状態においては、被操作部１４の端部（図５の上端部）が筒状容器１０の位置決め部１０ａよりも操作ボタン１２側に配置されているため、操作ボタン１２の押し込み操作に応じて被操作部１４を押し動かすことができる。反対に、図３及び図４の状態では、位置決め部１０ａよりも内側に被操作部１４が配置されているため、操作ボタン１２を押しても位置決め部１０ａにより移動が規制されて被操作部１４を押し動かすことができない（不能状態）。このようにロックアウトタイム中に操作ボタン１２を不能状態とすることにより、所定量未満の薬液が充填されるのを回避することが可能となる。
【手続補正５】
【補正対象書類名】明細書
【補正対象項目名】００４９
【補正方法】変更
【補正の内容】
【００４９】
前記実施形態のように、導出チューブ１７を介した薬液の導出終了に至る注入用収容室Ｓ２の縮小に応じて切換弁９が開放位置から閉鎖位置へ切り換えられる構成によれば、導出チューブ１７を介した薬液の導出終了とともに切換弁９を閉鎖位置に自動的に切り換えることができるため、使用者により切換弁９を閉鎖位置から開放位置にする操作が行なわれるだけで所定量の薬液を確実に患者へ投与することができるとともに、この投与の後に自動的に注入用収容室Ｓ２内への薬液の充填が開始されることになる。
【手続補正６】
【補正対象書類名】明細書
【補正対象項目名】００５５
【補正方法】変更
【補正の内容】
【００５５】
注入用具２０は、チューブ２８ｃに接続される容器本体（容器）２３と、この容器本体２３に取り付けられ、チューブ２８ａ及び２８ｂに接続される蓋体（容器）２２と、容器本体２３及び蓋体２２内に変位可能に設けられた変位部材２４と、容器本体２３内の室（液体収容室）を押出用収容室Ｓ３と注入用収容室Ｓ４とに区画するための隔壁２５と、注入用収容室Ｓ４から導出された薬液を導くチューブ２９と、このチューブ２９に設けられ、使用者の操作に応じてチューブ２９を介した薬液の導出を許容又は阻止する手動開閉弁（切換弁）２１とを備えている。なお、説明の便宜上、チューブ２８ｂ及びチューブ２８ｃは、注入用具２０の構成ではないものとして説明しているが、これらチューブ２８ｂ及びチューブ２８ｃのうち、少なくとも後述する接続部２３ｂと第三接続部２２ｅとを接続する部分は、注入用具２０の一部（導出通路の一部）を構成する。
【手続補正７】
【補正対象書類名】明細書
【補正対象項目名】００５９
【補正方法】変更
【補正の内容】
【００５９】
そして、変位部材２４は、図８に示すように支持板２４ａが蓋体２２のガイド部２２ｆの端面に当接する開位置と、図９に示すように支持板２４ａが円筒部２３ａの底部に隔壁２５を介して当接した閉位置との間で容器本体２３及び蓋体２２に対して変位可能とされている。ここで、開位置では、図８に示すように弾性体２４ｅの一対のフランジ部２４ｃが第二接続部２２ｄ及び第三接続部２２ｅの開口部を挟むように配置され、両接続部２２ｄ、２２ｅ間の薬液の流通が許容される。また、閉位置では、図９に示すように弾性体２４ｅの先端側のフランジ部２４ｃが第二接続部２２ｄと第三接続部２２ｅとの間に配置され、両接続部２２ｄ、２２ｅ間の薬液の流通が規制される。なお、開位置及び閉位置の何れの位置においても、弾性体２４ｅの基端側のフランジ部２４ｃが第二接続部２２ｄ及び第三接続部２２ｅよりも基端側に配置されているため、突出部２２ｃと容器本体２３との間の薬液の流通は規制されている。
【手続補正８】
【補正対象書類名】明細書
【補正対象項目名】００６３
【補正方法】変更
【補正の内容】
【００６３】
図８に示すように、変位部材２４が開位置とされた状態において、薬液ポンプ２からの薬液は、流量調整器２６による圧力損失が生じるチューブ２８ｂに優先してチューブ２８ａを介して押出用収容室Ｓ３内に導入される。押出用収容室Ｓ３内への薬液の導入に伴い、隔壁２５を弾性変形（伸張）させつつ、図９に示すように変位部材２４を閉位置に変位させる。この状態からは、薬液ポンプ２からの薬液は、流量調整器２６を介してチューブ２８ｂに導入される。
【手続補正９】
【補正対象書類名】特許請求の範囲
【補正対象項目名】請求項８
【補正方法】変更
【補正の内容】
【請求項８】
前記薬液を収容可能な液体収容室を有する容器と、
前記容器よりも高い伸縮性を有するとともに、前記液体収容室を前記注入用収容室及び押出用収容室に区画する隔壁とを備えていることを特徴とする請求項１〜３の何れか１項に記載の注入用具。